(57)【要約】【課題】【解決手段】緊急車両内に送入され得るようにされた多レベル昇降式簡易ベッドであって、前端及び後端を有する簡易ベッドフレームを支持し且つ、簡易ベッドフレームを複数の上昇された位置に選択的に固定し得るようにされた車輪付き車台を有する昇降式簡易ベッドである。簡易ベッドフレームは、簡易ベッド構造体に対して広い運動範囲を有する改良されたドロップフレームを含む。簡易ベッドフレームには、位置決め可能な背部、脚部、及び肘掛けのような患者の支持作用部が設けられる。
2009524489.tif 000002
【特許請求の範囲】
【請求項１】
緊急車両内に送入され得るようにされた昇降式簡易ベッドであって、
全体として矩形の簡易ベッドフレーム、及び前記簡易ベッドフレームに回転可能に取り付けられたドロップフレームを備え、
前記ドロップフレームは、伸長した位置と、伸長した位置の上方の少なくとも１つの位置に位置決め可能である昇降式簡易ベッド。
【請求項２】
請求項１に記載の昇降式簡易ベッドにおいて、前記伸長した位置の上方の少なくとも１つの位置は、上方中間位置、及び直立位置である、昇降式簡易ベッド。
【請求項３】
請求項１に記載の昇降式簡易ベッドにおいて、前記ドロップフレームは、改良された人間工学を提供する下方中間位置に更に位置決めすることができる昇降式簡易ベッド。
【請求項４】
請求項１に記載の昇降式簡易ベッドにおいて、前記ドロップフレームは、下方中間位置、及び折り畳んだ位置に更に位置決めすることができる、昇降式簡易ベッド。
【請求項５】
請求項１に記載の昇降式簡易ベッドにおいて、前記ドロップフレームは、下方中間位置に更に位置決めすることができ、伸長した位置の上方の前記少なくとも１つの位置は、上方中間位置、及び直立位置である、昇降式簡易ベッド。
【請求項６】
請求項１に記載の昇降式簡易ベッドにおいて、前記ドロップフレームは、下方中間位置、及び折り畳んだ位置に更に位置決めすることができ、伸長した位置の上方の前記少なくとも１つの位置は、上方中間位置、及び直立位置である、昇降式簡易ベッド。
【請求項７】
請求項１に記載の昇降式簡易ベッドにおいて、前記ドロップフレームは、１対の負荷車輪を含む、昇降式簡易ベッド。
【請求項８】
請求項１に記載の昇降式簡易ベッドにおいて、前記ドロップフレームを前記位置の１つに解放可能に固定する掛止め機構を更に含む、昇降式簡易ベッド。
【請求項９】
請求項１に記載の昇降式簡易ベッドにおいて、前記ドロップフレームは、１対のピボット取り付け部により前記簡易ベッドフレームに回転可能に取り付けられる、昇降式簡易ベッド。
【請求項１０】
請求項１に記載の昇降式簡易ベッドにおいて、前記ドロップフレームは、１対のピボット取り付け部により前記簡易ベッドフレームに回転可能に取り付けられ、前記ピボット取り付け部の各々は、前記位置に相応する複数のスロットを有する、昇降式簡易ベッド。
【請求項１１】
請求項１に記載の昇降式簡易ベッドにおいて、前記ドロップフレームは、１対のピボット取り付け部により前記簡易ベッドフレームに回転可能に取り付けられ、前記ピボット取り付け部の各々は、前記位置に相応する複数のスロットを有し、前記昇降式簡易ベッドは、前記スロットの相応する１つに係合することにより前記位置の１つに前記ドロップフレームを解放可能に固定する掛止め機構を更に含む、昇降式簡易ベッド。
【請求項１２】
緊急車両内に送入され得るようにされた昇降式簡易ベッドであって、
車輪を有する全体として矩形の車台と、
前端及び後端を有する全体として矩形の簡易ベッドと、
前記簡易ベッドフレーム及び前記車台を相互に接続する脚部材と、
前記簡易ベッドフレームに回転可能に取り付けられて、伸長した位置と、伸長した位置の上方の少なくとも１つの位置に位置決め可能なドロップフレームとを備える、昇降式簡易ベッド。
【請求項１３】
請求項１２に記載の昇降式簡易ベッドにおいて、伸長した位置の上方の前記少なくとも１つの位置は、上方中間位置、及び直立位置である、昇降式簡易ベッド。
【請求項１４】
請求項１２に記載の昇降式簡易ベッドにおいて、前記ドロップフレームは、下方中間位置に更に位置決めすることができ、伸長した位置の上方の前記少なくとも１つの位置は、上方中間位置、及び直立位置である、昇降式簡易ベッド。
【請求項１５】
請求項１２に記載の昇降式簡易ベッドにおいて、前記ドロップフレームは、下方中間位置、及び折り畳んだ位置に更に位置決めすることができ、伸長した位置の上方の前記の少なくとも１つの位置は、上方中間位置、及び直立位置である、昇降式簡易ベッド。
【請求項１６】
請求項１２に記載の昇降式簡易ベッドにおいて、前記ドロップフレームは、１対の負荷車輪を含む、昇降式簡易ベッド。
【請求項１７】
請求項１２に記載の昇降式簡易ベッドにおいて、前記ドロップフレームを前記位置の１つに解放可能に固定する掛止め機構を更に含む、昇降式簡易ベッド。
【請求項１８】
請求項１２に記載の昇降式簡易ベッドにおいて、前記ドロップフレームは、１対のピボット取り付け部により前記簡易ベッドフレームに回転可能に取り付けられる、昇降式簡易ベッド。
【請求項１９】
請求項１２に記載の昇降式簡易ベッドにおいて、前記ドロップフレームは、１対のピボット取り付け部により前記簡易ベッドフレームに回転可能に取り付けられ、前記ピボット取り付け部の各々は、前記位置に相応する複数のスロットを有する、昇降式簡易ベッド。
【請求項２０】
請求項１２に記載の昇降式簡易ベッドにおいて、前記ドロップフレームは、１対のピボット取り付け部により前記簡易ベッドフレームに回転可能に取り付けられ、前記ピボット取り付け部の各々は、前記位置に相応する複数のスロットを有し、前記昇降式簡易ベッドは、前記スロットの相応する１つに係合することにより前記位置の１つに前記ドロップフレームを解放可能に固定する掛け止め機構を更に含む、昇降式簡易ベッド。
【発明の詳細な説明】
【技術分野】
【０００１】
本発明は、急患用簡易ベッド（ambulance cots）、より詳細には、簡易ベッドを受け入れる床を有する異なる型式の緊急車両にて使用することのできる多レベル送入式簡易ベッド（roll-in cots）の改良に関する。
【背景技術】
【０００２】
急患用簡易ベッドは、典型的に、担架を救急車の後部に格納し又は積載することを可能にする車輪付きの折畳み型脚部組立体を有する実質的に矩形の患者の支持フレームを備える。かかる先行技術の簡易ベッドの例は、米国特許番号４，０９７，９４１、米国特許番号４，１９２，５４１、米国特許番号４，７６７，１４８、米国特許番号５，５３７，７００、米国特許番号５，５７５，０２６に開示される。
【発明の開示】
【発明が解決しようとする課題】
【０００３】
先行技術の簡易ベッドは、全体として、それらの所期の目的には十分であるが、これらの簡易ベッドは、全ての面にて満足し得るものではない。例えば、テーブル、椅子又は机のような障害物のある閉鎖空間内にて、下降させた簡易ベッドを取り扱うことは、オペレータにとってかなり困難なことである。
【課題を解決するための手段】
【０００４】
本発明は、簡易ベッドの構造体に対して広範囲の運動範囲を有する改良されたドロップフレーム（drop frame;落とし枠）を便宜に提供する簡単な配置を提供することにより、上述した困難さを緩和し、又は少なくとも改善するものである。本発明の簡易ベッド構造体は、安定的な車輪付きの車台により支持された簡易ベッドフレームを有し、この車輪付きの車台を上昇させ且つ複数の使用位置まで下降させることを許容する。簡易ベッドフレームには、また、位置決め可能な背もたれ、脚部及び肘掛け支持体のような、患者の支持作用部も設けられている。
【０００５】
本発明の１つの実施の形態において、緊急車両内に転がし入れ得るようにされた昇降式簡易ベッド（elevating cot）が開示される。この簡易ベッドは、全体として矩形の簡易ベッドフレームと、簡易ベッドフレームに回転可能に取り付けられたドロップフレームとを備える。ドロップフレームは、伸長した位置と伸長した位置の上方の少なくとも１つの位置とに位置決め可能である。
【０００６】
本発明の別の実施の形態において、緊急車両内に転がし入れ得るようにされた昇降式簡易ベッドが開示される。該簡易ベッドは、車輪を有する全体して矩形の車台と、前端及び後端を有する全体として矩形の簡易ベッドフレームと、簡易ベッドフレームと車台とを相互接続する脚部材とを備える。簡易ベッドは、簡易ベッドフレームに回転可能に取り付けられたドロップフレームを更に含む。ドロップフレームは、伸長した位置と、伸長した位置の上方の少なくとも１つの位置とに位置決め可能である。
【発明を実施するための最良の形態】
【０００７】
本発明の上記及びその他の特徴並びに有利な点は、添付図面と共に、以下の説明を参照するとき、本発明の幾つかの実施の形態の以下の説明からより完全に理解されよう。請求の範囲は、本明細書に記載された特徴及び有利な点の特定の開示ではなく、本明細書の記述により規定されることが理解される。
【０００８】
本発明は、同様の要素を同様の参照番号にて表示する、添付図面にて単に一例として且つ非限定的に記載される。当業者は、図示に示した要素は、簡略化及び明確化のために示したものであり、必ずしも正確な縮尺にて示されるものではないことが理解される。例えば、図面中の要素の幾つかの寸法は、本発明の実施の形態の理解を増し得るように、その他の要素と比較して誇張して示されることがある。
【０００９】
先ず、図１及び図２を参照すると、全体として番号１００にて示した本発明の簡易ベッド構造体の実施の形態が示される。簡易ベッド１００は、その両端に複数対の自在キャスタ車輪１２を取り付ける矩形の車台１０を有している。反対側部は、図示した側部と実質的に同一であるから、便宜上、簡易ベッド構造体の一側部のみが示されることを理解すべきである。車台１０は、横フレーム部材（図示せず）によって相互に接続された対向した側部フレーム部材１４を含む。複数対のクロス形成フレーム部材１６、１８が車台１０から上方に伸長しており、該部材１６、１８は、車台１０を簡易ベッドフレーム２０と相互接続する作用を果たす。
【００１０】
簡易ベッドフレーム２０は、横管状端部材２４により足部又は後端にて相互に接続された対向する管状側部フレーム部材２２を含む。それらの前端又は先端にて、側部フレーム部材２２の各々は、それぞれのヒンジピボット２６にて終わっている。図３に最も良く示した、ドロップフレーム３０が回転可能に連結された横フレーム２８は、対のヒンジピボット２６の間にて支持される。
【００１１】
ドロップフレーム３０は、その前端にて端部フレーム部材３６（図１）により接続された管状の側部フレーム部分３２、３４を含む。１つの実施の形態において、側部フレーム部分３２、３４及び端部フレーム部材３６は単一体部品である。ドロップフレーム３０には、対のヒンジピボット２６が解放可能に係合しており、該対のヒンジピボット２６は、また、ドロップフレーム３０の運動範囲も制限する。特に、ドロップフレーム３０の回転は、全体として参照番号３８で示した、掛止め機構により拘束される。掛止め機構３８は、ドロップフレーム３０を図１に示したような、伸長した位置４０から、同様に図２に示した、上方中間位置４２、直立位置４４、下方中間位置４６又は折畳んだ位置４８まで動かすことを許容する。図２の破線は、上方中間位置４２、直立位置４４及び下方中間位置４６を示す。
【００１２】
１つの実施の形態において、掛止め機構３８は、ばね偏倚式ラッチ５０を含み、該ばね偏倚式ラッチ５０は、ドロップフレーム３０を伸長した位置４０、上方中間位置４２、直立位置４４又は下方中間位置４６の何れかにて固定すべくヒンジピボット２６の各々に設けられたスロット５２のそれぞれ１つと係合する。ドロップフレーム３０は、折り畳んだ位置４８にて固定されずに垂れ下がる。掛け止め機構３８の解放ハンドル５４が摺動ラッチ５０をスロット５２の１つから解放するドロップフレーム３０に設けられており、このため、ドロップフレーム３０は、伸長した位置４０にある場合、上方中間位置４２、直立位置４４又は下方中間位置４６に位置変えすることができる。
【００１３】
ドロップフレーム３０を下方中間位置４６内に配置することは、簡易ベッドが完全に上昇したとき、改良された人間工学となるよう、持ち上げハンドルの下方位置を提供する。更に、簡易ベッド１００が下方位置にあるとき、ドロップフレーム３０を上方中間位置４２に配置することは、また、改良された人間工学となるよう、持ち上げハンドルのより高い位置を提供する。テーブル、椅子及び（又は）机のような障害物がある信頼空間内にて、ドロップフレーム３０を上方中間位置４２又は直立位置４４の何れかに配置することは、かかる障害物が邪魔にならないようドロップフレーム３０を上昇させることにより、完全に上昇したとき、簡易ベッドをより便宜に操縦することを許容することが更に理解される。
【００１４】
ドロップフレーム３０には、側部フレーム部分の最外端から下方に突き出す１対の負荷車輪５６が設けられている。負荷車輪５６は、全体としてＵ字形の管状ベール５８により相互に接続される。ベール５８は、ばね６０により図１に示した下方に伸長する位置にばね偏倚されており、また、緊急車両の床に取り付けた舌状の床取り付け部６２と係合する形態とされる。ベール５８は、簡易ベッドフレーム２０の両側部に隣接する位置に配置された解放アーム６４により上方に偏向されており、このことは、簡易ベッドを車から除去しようとするとき、介添人がベール５８を床の取り付け部２６から係合解除することを許容する。
【００１５】
基本的な簡易ベッドフレーム２０には、図２に示した緩衝位置に患者を配置するため、折り畳み式肘掛け６６、多位置背もたれ６８、可調節型脚部分７０のような、色々な可調節型作用部を設けることができることが理解されよう。図２に最も良く示すように、背もたれ６８は、全体としてＵ字形のフレーム部材７２を有しており、該Ｕ字形のフレーム部材２７は、その端部にてピボット取り付け具７４により側部フレーム部材２２の間をわたる横フレーム部材にヒンジ止めされる。背もたれ６８は、持ち上げ装置７６により、図１に示した傾斜位置から図２に示した直立位置まで、及びその間の複数の位置まで可動である。持ち上げ装置７６は、上端にて、背もたれフレーム６８の取り付け部８０に回動可能に装着される。図１に示した実施の形態において、レバー８２の操作により持ち上げ装置７６は、所望に応じて背もたれ６８を上昇又は下降させることができる。
【００１６】
可調節型脚部分７０は、その端部にてヒンジ部材８６により簡易ベッドフレーム２０（図示せず）の横管状部材にヒンジ止めされたＵ字形のフレーム部材８４（図２に部分的に図示）により形成される。フレーム部材８４の他端には、足載せ８８が取り付けられている。脚部分７０は、既知の構造のラッチ部材９０により上昇又は下降させる。介添人が容易に把持し得るよう配置された端部フレーム部材１２の下方にある補助的なベール様端部フレーム部材９２のような、その他の作用部を設けることもできる。
【００１７】
図１及び図２を参照すると、複数対のクロス形成フレーム部材１６、１８が複数対のクロス形成フレーム部材１６、１８の相互接続点にてピボットロッド９４により回動可能に接続される。更に、クロス形成フレーム部材１８は、その最下端にて管状の伸長部９６を伸縮可能に受け入れ、該伸長部は、車台１０に回動可能に接続される。その最上端にて、クロス形成フレーム部材１８は、ガイドピン１００を有する装着具９８を取り付ける。ガイドピン１００は、細長い案内部材１０４のスロット１０２内に摺動可能に受け入れられる。ハンド解放部１０６は、操作されたとき、ガイドピン１００がスロット内を摺動するのを許容し、このことは、簡易ベッドフレーム２０を車台１０に対して、上昇可能な多数の位置の任意の１つに上昇及び下降させるか、又は車台１０に対して折畳むことを許容する。
【００１８】
法律に従って、本発明は、構造上及び方法上の特徴に関して多少なりとも特定的な語にて説明した。しかし、本明細書に開示した手段は、本発明を実施するのに好ましい形態を備えるため、本発明は、図示し且つ説明した特定の形態にのみ限定されるものではないことを理解すべきである。このため、本発明は、均等の理論に従って、適正に解釈されるべき特許請求の範囲の適正な範囲内にてその形態又は変更例の任意のものにて権利を請求するものである。請求項の精神及び範囲に属する本発明の全ての変更例は、本発明の一部であるとみなすべきである。
【図面の簡単な説明】
【００１９】
【図１】上昇された位置にある本発明の簡易ベッド構造体の実施の形態を示す側面図である。
【図２】背部支持体が完全な直立位置にあり、また、先行技術にて従来利用可能な程度よりも広い運動範囲を有するドロップフレームを示し、運動範囲は図面の目的のため破線にて示した、図１の簡易ベッド構造体の実施の形態を示す側面図である。
【図３】本発明に従ったドロップフレームの一部分の拡大部分斜視図である。
【図１】
2009524489.tif 000003
【図２】
2009524489.tif 000004
【図３】
2009524489.tif 000005
【国際調査報告】
2009524489.tif 000006
2009524489.tif 000007